(57)【要約】      （修正有）【課題】介護者の負担を軽減することのできるパジャマズボンを提供する。【解決手段】本寝たきり病人用パジャマズボンは、幅２０ｃｍ以上３５ｃｍ以下、深さ２０ｃｍ以上４０ｃｍ以下の略楕円形によって、おしりの部分がカットされている。また、ウエストの幅を１とした場合に、幅０．４以上１以下、深さ０．４以上１．３以下の曲線によりおしりの部分がカットされている。【選択図】図１
0003157436.tif 000002
【実用新案登録請求の範囲】
【請求項１】
おしりの部分がカットされた寝たきり病人用パジャマズボン
【請求項２】
幅２０ｃｍ以上３５ｃｍ以下、深さ２０ｃｍ以上４０ｃｍ以下の略楕円形によって、おしりの部分がカットされた寝たきり病人用パジャマズボン
【請求項３】
ウエストの幅を１とした場合に、幅０．４以上１以下、深さ０．４以上１．３以下の曲線によりおしりの部分がカットされた寝たきり病人用パジャマズボン
【考案の詳細な説明】
【技術分野】
【０００１】
本考案は、寝たきり病人用のパジャマズボンに関する。
【背景技術】
【０００２】
人は就寝する際、パジャマを着用するのが一般的である。パジャマは、眠っている間にかく汗を吸収し、布団の中の湿度を適切に保つことができ非常に有用なものである。これは健常者であっても、寝たきりの病人であっても同様である。
【０００３】
しかしながら、寝たきりの病人（以下「患者」という。）の場合、介護者が患者の着替え等の手伝いを行わなければならない。具体的には、パジャマズボンを脱がせる又は着せるために、患者の腰を上げなければならず、また、上げないとしても、患者の体位を何回も変えなければならない。すなわち病人の状態や体重によるが、介護者の負担は非常に大きなものとなっている。また患者にとっても、何回も体位を変えさせられることは心身ともに非常に苦痛であるといった問題もある。
【０００４】
この問題に対し、介護をより容易にするためのパジャマが下記特許文献１に記載されている。下記特許文献１に記載のパジャマは、前面にオープンファスナーを使用し、全面を開閉自在とした介護パジャマが開示されている。
【先行技術文献】
【特許文献】
【０００５】
【特許文献１】特開２００６−２００１０５号公報
【考案の概要】
【考案が解決しようとする課題】
【０００６】
たしかに、上記特許文献１に記載の技術は、前面を開きやすくしている点で着脱が容易となるといった利点を有する。
【０００７】
しかしながら、特許文献１に記載の技術であっても、着脱の際、患者が腰を上げなければならないことには変わらず、介護者及び患者の負担はあまり変わらないといった課題が残る。
【０００８】
そこで、本考案は、上記課題を鑑み、より介護者の負担を軽減することのできるパジャマズボンを提供することを目的とする。
【課題を解決するための手段】
【０００９】
本考案の第一の観点に係る寝たきり病人用パジャマズボンは、おしりの部分がカットされている。
【００１０】
また本考案の他の観点に係る寝たきり病人用パジャマズボンは、幅２０ｃｍ以上３５ｃｍ以下、深さ２０ｃｍ以上４０ｃｍ以下の略楕円形によって、おしりの部分がカットされている。
【００１１】
また本考案の他の観点に係る寝たきり病人用パジャマズボンは、ウエストの幅を１とした場合に、幅０．４以上１以下、深さ０．４以上１．３以下の曲線によりおしりの部分がカットされている。
【考案の効果】
【００１２】
以上、本考案により、より介護者の負担を軽減することのできるパジャマズボンを提供することができる。
【図面の簡単な説明】
【００１３】
【図１】実施形態に係るパジャマズボンを前面から見た場合の正面図である。
【図２】実施形態に係るパジャマズボンを背面から見た場合の背面図である。
【図３】実施形態に係るパジャマズボンの型紙の一例を示す図である。
【考案を実施するための最良の形態】
【００１４】
以下、本考案を実施するための形態について、図面を用いて詳細に説明するが、本考案は多くの異なる形態による実施が可能であり、以下に示した具体的な例示にのみ限定されるものではない。
【００１５】
図１は、本実施形態に係るパジャマズボン（以下「本パジャマズボン」という。）１を前面２から見た場合の平面図であり、図２は、本パジャマズボン１を背面３から見た場合の背面図である。
【００１６】
これらの図で示すように、本考案の第一の観点に係る寝たきり病人用パジャマズボン１は、背面３のおしりの部分がカットされている。
【００１７】
また本実施形態において、パジャマズボンの背面においてカットされた部分すなわち切欠部分３１は、幅２０ｃｍ以上３５ｃｍ以下、深さ２０ｃｍ以上４０ｃｍ以下の曲線（一部直線を含んでいても良い）、好ましくは略楕円形となっている。切欠部分３１の幅及び深さを上記範囲とすることで、成人のおしり部分にほぼ対応することが可能となる。なお、幅と深さはおしりの部分にあわせることができる限りにおいて限定されるわけではないが、切欠部分の幅を１とした場合、深さは１以上２以下であることが好ましい。また、成人用のパジャマの一般的なウエストが概ね３０ｃｍ以上４５ｃｍ以下であることを考慮すると、このウエストの幅（パジャマズボンを平地に置いた場合の幅をいう。図２参照）を１とすれば、切欠部３１の幅は０．４以上１以下となり、切欠部３１の深さは０．４以上１．３以下となる。なおここでパジャマズボンの「前面」とは、患者の体の前面に主として触れる側をいい、背面とは、患者の体の背面に主として触れる側をいう。
【００１８】
本パジャマズボンは、患者のおしりの部分に切欠部分３１を有しているため、着替えを手伝う際、足をすこし上げてパジャマズボン内に足を通し、パジャマズボンのウエストの部分を患者の腰にもってくるだけで済む。脱ぐ場合は、パジャマズボンの裾部分をそのまま引くだけで脱がすことができる。すなわち、患者の腰を上げずとも、パジャマズボンを患者のウエストまで引き上げる又は裾を引き下げるだけで容易に着替えを完了させることができ、介護者にとって負担が非常に軽くなるといった効果がある。特に、介護者は着せ替えのほか、おむつ、尿取りパットの交換等を１日複数回行わなければならないため、その度毎にパジャマズボンを脱がせたり着せたりする手間が省け、肩、腕、手指を痛めるおそれが極めて少なくなる。また、患者の見た目も普通にパジャマズボンをはいているように見えることから、患者に恥ずかしい思いをさせるおそれを極めて少なくすることができる。更に、おしりの部分の布をカットしているため、患者とベッドとの間の布の枚数を削減でき、しわによる床ずれのおそれも少なくすることができる。なお、患者の体位を何回も変えることも少なくなるため、患者の心身の負担を少なくするだけでなく、患者をゴロゴロ動かすことによって、ベッドの枠に体がぶつかり引き上げなくてはならなくなるおそれも少なくなる。
【００１９】
なお、本パジャマズボンにおいて、ウエスト部分には、ゴムがないことが、着脱をより容易にする観点から好ましい。なお、本パジャマズボンは、例えば図３の一例で示すような型紙を用いて作成することができるがこれに限定されない。
【００２０】
以上、本実施形態係るパジャマズボンは、より介護者の負担を軽減することのできるパジャマズボンとなる。
【産業上の利用可能性】
【００２１】
本考案は、パジャマズボンとして産業上の利用可能性がある。
【符号の説明】
【００２２】
１…パジャマズボン、２…前面、３…背面
【図１】
0003157436.tif 000003
【図２】
0003157436.tif 000004
【図３】
0003157436.tif 000005